(57)【要約】【課題】気水密性の確保と包入物の容易な出し入れを可能としたスライダー付きの合成樹脂製袋体を提供する。【解決手段】表裏２枚の胴部フィルムよりなり左右にサイドシールが施され、開口部にスライダーによって開閉操作する雌雄咬合型のチャックを備えた合成樹脂製袋体において、チャック４を開閉するためにスライダー５に設けられている内側ガイド６をスライダー５の摺動方向の中央部にチャック４の閉じ方向に傾斜して形成し、チャック４の閉じ端４ａには上向きの傾斜ガイド７を形成し、チャック４の閉じ端４ａにおいて傾斜ガイド７によりスライダー５を持ち上げて内側ガイド６をチャック４より抜脱するようにした。【選択図】図１
2008127072.tif 000002
【特許請求の範囲】
【請求項１】
表裏２枚の胴部フィルムよりなり左右にサイドシールが施され、開口部にスライダーによって開閉操作する雌雄咬合型のチャックを備えた合成樹脂製袋体において、チャックを開閉するために前記スライダーに設けられている内側ガイドをスライダーの摺動方向の中央部にチャックの閉じ方向に傾斜して形成し、チャックの閉じ端には上向きの傾斜ガイドを形成し、チャックの閉じ端において前記傾斜ガイドにより内側ガイドを介してスライダーを持ち上げ内側ガイドをチャックより抜脱してチャックの閉じ端を咬合状態にして隙間をなくすようにしたことを特徴とする合成樹脂製袋体。
【請求項２】
チャックの開き端側のサイドシールにチャックの開き端に移動したスライダーが没入する切欠部を形成した請求項１に記載の合成樹脂製袋体。
【請求項３】
チャックの位置より袋体内方にイージーピールテープを設けた請求項１乃至２のいずれかに記載の合成樹脂製袋体。
【発明の詳細な説明】
【技術分野】
【０００１】
本発明は、袋体の開口部に設けられている再開閉可能な雌雄咬合型のチャックを開閉操作するスライダーを備えた合成樹脂製袋体に関するものである。
【背景技術】
【０００２】
表裏２枚の胴部フィルムよりなり左右にサイドシールが施され、開口部にスライダーによって開閉操作する雌雄咬合型のチャックを備えた合成樹脂製袋体は周知である。
【０００３】
従来のスライダーはチャックを開閉するための内側ガイドがスライダー本体のチャック閉じ端側の端面に位置している。そのためチャックの閉じ端においては前記内側ガイドがサイドシール部に当接してチャックの雌雄爪間に位置した状態となり、チャック端まで完全に咬合することができず内側ガイドとチャック端に隙間ができ、この隙間により気水密性を損なっている。また、チャックの開き端ではスライダーがサイドシール部に当接してスライダーがサイドシール幅より袋体内側に突き出て位置する。そのためチャックの開き幅がスライダーが突き出た寸法だけ短くなり包入物の容易な出し入れができないという問題を有している。
【特許文献１】特開２００１−１３０５９４公報
【特許文献２】特開平２−２４２７４８公報
【発明の開示】
【発明が解決しようとする課題】
【０００４】
本発明は、気水密性の確保と包入物の容易な出し入れを可能としたスライダー付きの合成樹脂製袋体を提供することである。
【課題を解決するための手段】
【０００５】
上記の課題を解決するための本発明は、請求項１に記載の通り、表裏２枚の胴部フィルムよりなり左右にサイドシールが施され、開口部にスライダーによって開閉操作する雌雄咬合型のチャックを備えた合成樹脂製袋体において、チャックを開閉するために前記スライダーに設けられている内側ガイドをスライダーの摺動方向の中央部にチャックの閉じ方向に傾斜して形成し、チャックの閉じ端には上向きの傾斜ガイドを形成し、チャックの閉じ端において前記傾斜ガイドにより内側ガイドを介してスライダーを持ち上げ内側ガイドをチャックより抜脱しチャックの閉じ端を咬合状態にして隙間をなくすようにしたことを特徴とするものである。
【０００６】
請求項２に記載の通り、チャックの開き端側のサイドシールにチャックの開き端に移動したスライダーが没入する切欠部を形成した請求項１に記載の合成樹脂製袋体である。
【０００７】
請求項３に記載の通り、チャックの位置より袋体内方にイージーピールテープを設けた請求項１乃至２のいずれかに記載の合成樹脂製袋体である。
【発明の効果】
【０００８】
本発明によると、スライダーをチャックの閉じ端に移動したときにはチャックの閉じ端に形成されている上向きの傾斜ガイドにより内側ガイドを介してスライダーを持ち上げて内側ガイドをチャックより抜脱し、チャック端を隙間なく完全に雌雄咬合するため気水密性を確保する。また、チャックの開き端においては、チャックの開き側のサイドシールに形成した切欠部にチャックの開き端に移動したスライダーが没入するため、スライダーがサイドシール幅より袋体内側に突き出て位置することがなくなり、チャックは全幅に渡って開き、包入物を容易に出し入れすることができるという効果を有している。さらに加えて、チャック位置より袋体内方にイージーピールテープを設けることにより、遮光、防塵、内容物の流出を防止する効果が得られ、イージピール溶着は一旦剥離されると通常は再密着することはないので、袋体が未開封の状態であるか否かを識別することができる。
【発明を実施するための最良の形態】
【０００９】
以下本発明を実施するための最良の形態を図面に基づいて説明する。図１において、１は裏２枚の胴部フィルムよりなり左右にサイドシール２ａ、２ｂが施された合成樹脂製袋体であり、その開口部３にスライダー５によって開閉操作する雌雄咬合型のチャック４を備えている。
【００１０】
本発明は、チャック４を開閉するために前記スライダー５に設けられている内側ガイド６をスライダー５の摺動方向の中央部にチャック４の閉じ方向に傾斜して形成し、チャック４の閉じ端４ａには上向きの傾斜ガイド７を形成したものである。
【００１１】
前記チャック４の閉じ端４ａと傾斜ガイド７はチャック４の閉じ端４ａ側のサイドシール２ａの幅Ｂ１の範囲内に位置しており、前記傾斜ガイド７はチャック４の端部を超音波で押さえることにより上向きの傾斜が得られる。
【００１２】
また、本発明は、チャック４の開き端４ｂ側のサイドシール２ｂにチャック４の開き端４ｂに移動したスライダー５が没入する切欠部８を形成したものである。この切欠部８は、例えば、サイドシール２ｂのベタシールの幅Ｂ２を１５ｍｍとした場合、チャック４の開き端４ｂ側のベタシール２ｃの幅Ｂ３を７ｍｍに設定して形成する。これにより、８ｍｍの幅の切欠部８が得られ、全長が７ｍｍ前後のスライダー５を切欠部８内に没入させることができる。
【００１３】
さらに、本発明は、上記の構成に加えて、チャック４の位置より袋体内方にイージーピールテープ９を設けたものである。
【００１４】
上記の構造よりなる本発明の作用について説明する。図１において、Ａはスライダー５がチャック４の閉じ端４ａに移動位置した状態を示し、Ｂはスライダー５がチャック４の長手方向の略中間に移動位置している状態を示し、Ｃはスライダー５がチャック４の開き端４ｂに移動位置している状態を示す。
【００１５】
そこで、スライダー５がチャック４の閉じ端４ａに移動位置した状態Ａにおいては、スライダー５の摺動方向の中央部にチャック４の閉じ方向に傾斜して形成されている内側ガイド６がチャック４の閉じ端４ａ側のサイドシール２ａの幅Ｂ１の範囲内に位置するので傾斜ガイド７により上方にスライドしてスライダー５を持ち上げ、内側ガイド６をチャック４より抜脱する。これにより、チャック４の閉じ端４ａは、その雌雄爪が咬合状態となり、スライダー５のチャック閉じ端４ａにおける隙間がなくなり完全な気水密性を確保する。従って、従来では、スライダー５のチャック閉じ端における隙間覆って気水密を保つべくチャック４の閉じ端４ａ側のサイドシール２ａの上方に形成されていたチャック下の気水密シールを不要とする。
【００１６】
また、スライダー５がチャック４の開き端４ｂに移動位置した状態Ｃにおいては、チャック４の開き端４ｂ側のサイドシール２ｂの幅Ｂ２の範囲内でスライダー５が切欠部８内に没入する。これにより、チャック４の開き端４ｂに移動位置したスライダー５はサイドシール２ｂの幅Ｂ２の範囲内におさまり、スライダー５が袋体内側に突き出て位置することがなくなり、チャック４は全幅に渡って開き、包入物を容易に出し入れすることができる。
【００１７】
さらに、チャック４の位置より袋体内方にイージーピールテープ９を設けることにより上記の作用効果に加えて、遮光、防塵、内容物の流出を防止する効果が得られ、イージーピール溶着は一旦剥離されると通常は再密着することはないので、袋体が未開封の状態であるか否かを識別することができ、改ざんを防止することができる。
【００１８】
このように本発明は、スライダー５に設けられている内側ガイド６をスライダー５の摺動方向の中央部にチャック４の閉じ方向に傾斜して形成し、チャック４の閉じ端４ａに上向きの傾斜ガイド７を形成することにより、スライダー５をチャック４の閉じ端４ａに移動してチャック４を閉じたときにチャック端を隙間なく完全に雌雄咬合するため気水密性を確保することができ、チャック４の開き端４ｂ側のサイドシール２ｂにチャック４の開き端４ａに移動したスライダー５を切欠部８に没入するようにしたため、スライダー５がサイドシール２ｂ幅より袋体内側に突き出て位置することがなくなり、チャック４は全幅に渡って開き、包入物を容易に出し入れすることができ、チャック４の位置より袋体内方にイージーピールテープ９を設けることにより、遮光、防塵、内容物の流出、改ざんを防止し、従来のスライダー付き合成樹脂製袋体が有する問題点を解決したものである。
【００１９】
尚、本発明は、袋体の形状が平袋タイプ、スタンドタイプの何れにも適用することができる。
【図面の簡単な説明】
【００２０】
【図１】本発明の袋体開口部の要部を示す図
【図２】スライダーの斜視図
【図３】図２のイ矢視図
【図４】図２のロ矢視図
【図５】図２のハ矢視図
【符号の説明】
【００２１】
１      合成樹脂製袋体
２ａ    サイドシール
２ｂ    サイドシール
３      開口部
４      チャック
４ａ    チャックの閉じ端
４ｂ    チャックの開き端
５      スライダー
６      内側ガイド
７      傾斜ガイド
８      切欠部
９      イージーピールテープ
【図１】
2008127072.tif 000003
【図２】
2008127072.tif 000004
【図３】
2008127072.tif 000005
【図４】
2008127072.tif 000006
【図５】
2008127072.tif 000007